(57)【要約】【課題】  塗布したローションによって体液の漏れが誘発されることなく、このローションを肌に確実に移行させることができる吸収性物品を提供する。【解決手段】  シャーシの身体側には、シャーシから離間可能な離隔シート３を形成している。離隔シート３の中間部分３２にはローションが塗布された第１塗布領域５１が形成され、吸液性パネル２３の身体側ライナ２６にはローションが塗布された第２塗布領域５２が形成される。第２塗布領域５２は、前方連通部３３から露出する前方塗布領域５２ａと後方連通部３４から露出する後方塗布領域５２ｂとに、第１塗布領域５１を介して分離されている。ローションは、身体側から吸液性パネル２３に向かって塗布されるとともに、離隔シート３を積層した状態で塗布されるので、第１および第２塗布領域５１，５２が同時に形成され、吸液性パネル２３の中間部分３２に対向する位置には非塗布領域５３が形成される。【選択図】図５
2009232881.tif 000002
【特許請求の範囲】
【請求項１】
縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域において前記シャーシから離間可能に形成された離隔シートとを含み、前記シャーシは、前記前後ウエスト域にウエスト開口を形成し、前記クロッチ域に一対のレッグ開口を形成する吸収性物品において、
前記離隔シートは、前記縦方向に延びるとともに前記横方向に対向する両側部分と、前記両側部分の間に連なる中間部分と、前記両側部分および前記中間部分によって形成され前記身体側と前記シャーシ側とを連通させる連通部と、前記縦方向に延びるとともに伸長状態で取り付けられる離隔シート弾性部材とを含み、前記縦方向に対向して前記横方向に延びる前後端縁が前記シャーシの身体側に固着され、前記吸液構造体が前記クロッチ域から前記前後ウエスト域に亘って前記前後ウエスト域が対向するように湾曲することによって、前記離隔シートと前記吸液構造体との間に空隙を形成するとともに、少なくとも前記中間部分が着用者の肌に接触可能に形成され、
前記離隔シートには前記中間部分にローションが塗布された第１塗布領域が形成され、前記シャーシには前記連通部から露出する部分に前記ローションが塗布された第２塗布領域が形成されたことを特徴とする前記吸収性物品。
【請求項２】
前記シャーシは、前記股下域において前記ローションが塗布されない非塗布領域を含み、前記非塗布領域は、前記離隔シートの中間部分との対向部分に形成される請求項１記載の吸収性物品。
【請求項３】
前記ローションは、前記離隔シートの前記身体側から前記シャーシに向かって塗布される請求項１または２に記載の吸収性物品。
【請求項４】
前記離隔シートは、前記中間部分を介して前記前ウエスト域側に位置する前方連通部と、前記後ウエスト域側に位置する後方連通部とを含み、前記中間部分は、前記クロッチ域に形成される請求項１〜３のいずれかに記載の吸収性物品。
【請求項５】
前記シャーシの身体側であって前記前後ウエスト域の少なくともいずれか一方には前記ローションが塗布された第３塗布領域をさらに含む請求項１〜４のいずれかに記載の吸収性物品。
【請求項６】
前記第３塗布領域は、前記ウエスト開口に沿って前記横方向に延びて形成される請求項１〜５のいずれかに記載の吸収性物品。
【請求項７】
前記ローションは、エモリエント成分と前記エモリエント成分を固定する固定化成分とを含む請求項１〜６のいずれかに記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつとして、例えば特開２００４-２９８６４３号公報（特許文献１）が公知である。この特許文献１によれば、おむつは、トップシートとバックシートとこれらシートの間に位置する吸収体とを有している。トップシートの身体側表面にはローションを塗布し、ローションによっておむつと着用者との摩擦を軽減し、着用者の肌トラブルを防止しようとしている。また、ローションが塗布されたトップシートを着用者の肌に接触させることによって、ローションを着用者の肌に移行させることができる。このようにして、着用者の肌にローションが塗られるようにしている。ローションが塗られた肌では、これがバリアとなって便が肌に付着するのを抑制することができる。
【特許文献１】特開２００４−２９８６４３号公報
【発明の開示】
【発明が解決しようとする課題】
【０００３】
ローションが塗布されたトップシートでは、塗布されたローションによって、トップシートの液透過性が阻害されることがある。特にトップシートの広範囲に亘ってローションを塗布した場合には、体液がトップシートを通過できなくなるから、体液がトップシート上を流れて漏れを引き起こすことがある。
また、トップシートは必ずしも着用者の肌に接触するとは限らず、トップシートが肌に接触しなければローションを肌に移行させることができない。ローションが肌に移行されなければ、肌への便等の付着を抑制するという機能を発揮することができない。
【０００４】
本発明では、塗布したローションによって体液の漏れが誘発されることなく、このローションを肌に確実に移行させることができる吸収性物品を提供することを課題とする。
【課題を解決するための手段】
【０００５】
本発明は、縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域において前記シャーシから離間可能に形成された離隔シートとを含み、前記シャーシは、前記前後ウエスト域にウエスト開口を形成し、前記クロッチ域に一対のレッグ開口を形成する吸収性物品の改良に関わる。
【０００６】
本発明は前記吸液性物品において、前記離隔シートは、前記縦方向に延びるとともに前記横方向に対向する両側部分と、前記両側部分の間に連なる中間部分と、前記両側部分および前記中間部分によって形成され前記身体側と前記シャーシ側とを連通させる連通部と、前記縦方向に延びるとともに伸長状態で取り付けられる離隔シート弾性部材とを含み、前記縦方向に対向して前記横方向に延びる前後端縁が前記シャーシの身体側に固着され、前記吸液構造体が前記クロッチ域から前記前後ウエスト域に亘って前記前後ウエスト域が対向するように湾曲することによって、前記離隔シートと前記吸液構造体との間に空隙を形成するとともに、少なくとも前記中間部分が着用者の肌に接触可能に形成される。
前記離隔シートには前記中間部分にローションが塗布された第１塗布領域が形成され、前記シャーシには前記連通部から露出する部分に前記ローションが塗布された第２塗布領域が形成されたことを特徴とする。
【０００７】
好ましい実施態様のひとつとして、前記シャーシは、前記股下域において前記ローションが塗布されない非塗布領域を含み、前記非塗布領域は、前記離隔シートの中間部分との対向部分に形成される。
【０００８】
好ましい他の実施態様のひとつとして、前記ローションは、前記離隔シートの前記身体側から前記シャーシに向かって塗布される。
【０００９】
好ましい他の実施態様のひとつとして、前記離隔シートは、前記中間部分を介して前記前ウエスト域側に位置する前方連通部と、前記後ウエスト域側に位置する後方連通部とを含み、前記中間部分は、前記クロッチ域に形成される。
【００１０】
好ましい他の実施態様のひとつとして、前記シャーシの身体側であって前記前後ウエスト域の少なくともいずれか一方には前記ローションが塗布された第３塗布領域をさらに含む。
【００１１】
好ましい他の実施態様のひとつとして、前記第３塗布領域は、前記ウエスト開口に沿って前記横方向に延びて形成される。
【００１２】
好ましい他の実施態様のひとつとして、前記ローションは、エモリエント成分と前記エモリエント成分を固定する固定化成分とを含む。
【発明の効果】
【００１３】
着用者の肌に接触可能な離隔シートの中間部分にローションが塗布された第１塗布領域を形成することとしたので、ローションは確実に着用者の肌に移行される。したがって、肌に移行したローションによって、便等の付着を防止することができる。
シャーシであって離隔シートの連通部から露出する部分にもローションが塗布された第２塗布領域を形成することとしたので、連通部以外の部分ではローションが塗布されることなく、シャーシの全面に亘ってローションが塗布されることがない。ローションが塗布されない部分を形成することによって、シャーシにおける体液の透過性を阻害することがなく、体液が漏れるのを防止することができる。
【００１４】
シャーシに形成されたローションの非塗布領域は、離隔シートの中間部分との対向部分に位置するので、この対向部分では離隔シートが肌に対向し、これと重なる非塗布領域が着用者の肌に接触することがない。したがって、ローションが塗布されないシートが肌に接触して肌トラブルを引き起こすことを防止することができる。
【００１５】
ローションは、離隔シートの身体側からシャーシに向かって塗布されることとしているので、離隔シートに形成された第１塗布領域と、シャーシに形成された第２塗布領域と、非塗布領域とを一度に形成することができる。したがって、ローションの塗布による大幅なコスト増加を回避することができる。
【００１６】
離隔シートは、中間部分を介して前ウエスト域側に位置する前方連通部と、後ウエスト域側に位置する後方連通部とを含み、中間部分がクロッチ域に形成されることとしたので、離隔シートは排泄を妨げることなく配置される。中間部分がクロッチ域に形成されることによって、中間部分が肛門と外性器の間の刺激に弱い部分に位置し、この弱い部分にローションを移行させ肌トラブルから保護することができる。
【００１７】
シャーシの身体側であって前後ウエスト域にはローションが塗布された第３塗布領域を形成することとしたので、ウエスト域においても着用者の肌トラブルを防止することができる。
【００１８】
第３塗布領域は、ウエスト開口に沿って横方向に延びて形成されることとした。着用物品の着用状態においては、ウエスト開口は着用者の肌に接触することから、第３塗布領域も着用状態においてはほぼ着用者の肌に接触することとなる。したがって、確実に着用者のウエスト域の肌トラブルを防止することができる。
【００１９】
ローションは、エモリエント成分とエモリエント成分を固定する固定化成分とを含むこととしたので、肌を軟化させ肌トラブルを軽減することができる。
【発明を実施するための最良の形態】
【００２０】
吸収性物品として使い捨ておむつを用い、本発明の一例を説明する。
＜第１の実施形態＞
【００２１】
図１〜５は第１の実施形態を示したものである。図１はおむつ１の着用状態を示した図である。図示したように、おむつ１はシャーシ２と離隔シート３と漏れバリアカフ４とを含む。シャーシ２はパンツ型に形成され、身体側内面５および着衣側外面６と、前ウエスト域７、後ウエスト域８および前記前後ウエスト域７，８間に位置するクロッチ域９を含んでいる。前ウエスト域７からクロッチ域９を通って後ウエスト域８へと向かう方向を縦方向Ｙとし、これに直交する方向を横方向Ｘとしている。シャーシ２は、内面シート１１と外面シート１２と、これら内外面シート１１，１２の間に介在する不透液性の漏れバリアシート１３と、内面シート１１に積層された吸液構造体１０とによって形成されている。
【００２２】
シャーシ２は前後ウエスト域７，８において、互いのウエスト側縁部１４，１５の対向面が重なり合い、間欠的に並ぶ複数の接合部１６において互いに接合されてシーム部が形成され、これによりプルオン・パンツ型に形成されている。
接合部１６でウエスト側縁部１４，１５が接合されることにより、前後ウエスト域７，８で囲まれた領域にウエスト開口１８が形成されるとともに、レッグ側縁部１７で囲まれた一対のレッグ開口１９が形成されている。ウエスト開口１８の周縁部に沿って複数条のウエスト弾性部材２０が延び、レッグ開口１９の周縁部に沿って複数条のレッグ弾性部材２１が延びている。それら弾性部材２０，２１は、内面シート１１と外面シート１２との間にあり、これらシート１１，１２の少なくとも一方に接着剤（図示せず）を介して伸長状態で接合されている。
【００２３】
図２は図１のＩＩ−ＩＩ線断面図である。図２に示すように、内面シート１１の身体側内面５に吸液構造体１０として吸液性パネル２３が配置され、吸液構造体１０よりもさらに身体側に離隔シート３が配置され、離隔シート３のさらに身体側に漏れバリアカフ４が配置されている。吸液性パネル２３は、縦方向Ｙに対向して、横方向Ｘに延びる前後端縁２３ａ，２３ｂを含む。
【００２４】
吸液性パネル２３は、クロッチ域９から縦方向Ｙに延びるとともに、その前後端縁２３ａ，２３ｂは前後ウエスト域７，８の内面シート１１に接合されている。吸液性パネル２３は、ティッシュペーパ等の吸液拡散シート２４で包まれる吸液性芯材２５と、吸液拡散シート２４をさらに覆う身体側ライナ２６とで形成されている。吸液性パネル２３の着衣側は外面シート１２の内側に配置された漏れバリアシート１３で被覆され、芯材２５に吸収された体液がおむつ１から漏れるのを防止する。漏れバリアシート１３は、吸液性パネル２３の底面に直接接合されることもある。
【００２５】
離隔シート３の前端縁２７と後端縁２８は、その近傍が接着または溶着により身体側ライナ２６に接合されている。前端縁２７と後端縁２８とは、それぞれ前ウエスト域７および後ウエスト域８に位置している。図示したようなプルオン・パンツ型の状態においては、クロッチ域９が湾曲するとともに、後に説明する離隔シート弾性部材の収縮によって、離隔シート３は身体側ライナ２６から身体側に向かって図面上方向に離間している。離隔シート３の前後端縁２７，２８は身体側ライナ２６に接合されているので、離隔シート３全体はハンモックを吊り下げたような形状を有する。このような形状により、離隔シート３と吸液性パネル２３との間に空隙２９が形成される。
【００２６】
図３は図１の接合部１６における前後ウエスト域７，８の接合を解き、おむつ１を縦方向Ｙと横方向Ｘとに展開し、前後ウエスト域７，８とクロッチ域９とが同一平面上に位置するようにしたおむつ１の平面図である。おむつ１は、平面状になるように各弾性部材の伸縮力を作用させない状態を示している。おむつ１は、横方向Ｘの寸法を二等分する縦中心線Ｐ−Ｐと、縦方向Ｙの寸法を二等分する横中心線Ｑ−Ｑとを有し、縦中心線Ｐ−Ｐに関して左右対称である。
【００２７】
図示したように、シャーシ２はほぼ同形同大の内外面シート１１，１２を含み、ウエスト側縁部１４，１５とこれらウエスト側縁部１４，１５の間に位置するレッグ側縁部１７とを有している。レッグ側縁部１７が縦中心線Ｐ−Ｐに向かって凸となるように湾曲することによって、シャーシ２はほぼ砂時計型に形成されている。内外面シート１１，１２は通気性かつ疎水性の不織布等で形成され、漏れバリアシート１３を介して接着または溶着により互いに接合されている。
【００２８】
図４は主として、離隔シート３および吸液性パネル２３を説明するために、内外面シート１１，１２を省略したときのそれらの斜視図であり、その一部を破断させている。図示したように、吸液性パネル２３の着用者内面側には、離隔シート３を形成し、離隔シート３のさらに着用者内面側には漏れバリアカフ４を形成している。
【００２９】
離隔シート３は、横方向Ｘに対向する両側部分３０，３１と両側部分３０，３１の間に連なる中間部分３２とを有し、中間部分３２はクロッチ域９に位置している。両側部分３０，３１および中間部分３２によって前後方連通部３３，３４を形成している。前方連通部３３は、中間部分３２から前ウエスト域７に向かって延びるほぼＵ字形であり、後方連通部３４は、中間部分３２から後ウエスト域８に向かって延びるほぼＵ字形である。前方連通部３３は、両側部分３０，３１に位置する両内側縁３５と、これら両内側縁３５をつなぐ湾曲した閉鎖縁３６とによって画成される。後方連通部３４は両側部分３０，３１に位置する両内側縁３７と、これら両内側縁３７に連なる湾曲した閉鎖縁３８とによって画成される。
【００３０】
離隔シート３には、前後方連通部３３，３４に沿って縦方向Ｙに延びる一対の離隔シート弾性部材３９を伸長状態で取り付けている。離隔シート弾性部材３９は縦中心線Ｐ−Ｐを挟んでほぼ対称に取り付けられ、中間部分３２において縦中心線Ｐ−Ｐに向かって湾曲している。
【００３１】
離隔シート３は、両側部分３０，３１が吸液性パネル２３側に折り返されて二枚重ねになっている。この二枚重ねになった両側部分３０，３１の間に離隔シート弾性部材３９を図示しない接着剤によって接合している。
離隔シート３は、少なくとも前後端縁２７，２８においてその両側部分３０，３１で折り返された部分を吸液性パネル２３の身体側ライナ２６に接着剤４０を介して接合している。
【００３２】
漏れバリアカフ４は、縦中心線Ｐ−Ｐに対称に縦方向Ｙに延びる一対のシートから形成され、このシートは不織布やプラスチックフィルム等であり好ましくは不透液性である。各漏れバリアカフ４は、離隔シート３の両側部分３０，３１の身体側に重なるようにして形成されている。
【００３３】
漏れバリアカフ４はＺ字を画くように３枚重に折り畳まれたシートから形成されている。具体的には、漏れバリアカフ４は吸液性パネル２３とシャーシ２との間に位置し、シャーシ２の内面シート１１に接合される第１面４１と、第１面４１から離隔シート３の着用者側に折り返され両側部分３０または３１に重なる第２面４２と、第２面４２の着用者側に折り重ねられた第３面４３とを有している。第３面４３に位置する側縁４４はカフ弾性部材４５を取り付け可能とするために折り返されている。カフ弾性部材４５は、折り返された側縁４４の間に伸長状態で接合され、縦方向Ｙに亘って取り付けられている。
【００３４】
漏れバリアカフ４は、前後端部分４６，４７において、第１、第２および第３面４１，４２，４３をそれぞれ互いに接合し、これらが一体となって、シャーシ２の内面シート１１に接合されるようにしている。この漏れバリアカフ４にカフ弾性部材４５の収縮力が作用すると、第２面４２および第３面４３を上方に伸展させて離隔シート３から離間して、図２に示すような壁を形成する。
離隔シート３と漏れバリアカフ４とは、前後方接合部位４８，４９において互いに接合される。前後方接合部位４８，４９は、離隔シート弾性部材３９に重なる位置に形成されている。
【００３５】
離隔シート３の中間部分３２にはローションが塗布された第１塗布領域５１が形成され、吸液性パネル２３の身体側ライナ２６にはローションが塗布された第２塗布領域５２が形成されている。第２塗布領域５２は、前方連通部３３から露出する前方塗布領域５２ａと後方連通部３４から露出する後方塗布領域５２ｂとに、第１塗布領域５１を介して分離されている。ローションはエモリエント成分とエモリエント成分を固定する固定化成分とを含み、スプレーによって離隔シート３および吸液性パネル２３に塗布される。具体的には、吸液性パネル２３に離隔シート３および漏れバリアカフ４が積層された状態で、すなわち各弾性部材の伸長力を作用させない状態でローションは塗布される。ローションは、身体側から吸液性パネル２３に向かって塗布されるとともに、離隔シート３を積層した状態で塗布されるので、第１および第２塗布領域５１，５２が同時に形成される。したがって、第１および第２塗布領域５１，５２は一体的に連続して形成される。
【００３６】
ローションが塗布された第１および第２塗布領域５１，５２の横方向Ｘの長さ寸法は約５０〜６０ｍｍであり、縦中心線Ｐ−Ｐ上に縦方向に延びて形成される。第２塗布領域５２の前方塗布領域５２ａの前方端部から、第１塗布領域５１を通って、後方塗布領域５２ｂの後方端部までの縦方向Ｙの長さ寸法は約２５０〜３００ｍｍである。また、身体側ライナ２６の前端縁２７から前方塗布領域５２ａの前方端部までの長さ寸法は約５０ｍｍである。第１および第２塗布領域５１，５２におけるローションの塗布量は、約３〜１５ｇ／ｍ２であり、好ましくは約１０ｇ／ｍ２としている。
【００３７】
上記のような各弾性部材の伸長力を作用させない状態から、これら弾性部材を作用させた場合の吸液性パネル２３，離隔シート３，漏れバリアカフ４の状態を図５に示している。図示したように、離隔シート弾性部材３９およびカフ弾性部材４５が収縮すると、吸液性パネル２３が湾曲して漏れバリアカフ４が吸液性パネル２３から起立するように離間する。離隔シート３は離隔シート弾性部材３９の収縮によって、身体側に浮き上がり中間部分３２が吸液性パネル２３から離間する。中間部分３２には第１塗布領域５１が形成され、吸液性パネル２３には第２塗布領域５２が形成されているから、一体的に連なっていた第１および第２塗布領域５１，５２は、離隔シート３の離間方向に分離される。
【００３８】
第１および第２塗布領域５１，５２は、離隔シート３と吸液性パネル２３とを積層させた状態で形成されるから、吸液性パネル２３であって離隔シート３が重なっていた部分では、ローションが塗布されない非塗布領域５３が形成される。すなわち、身体側ライナ２６のクロッチ域９には、第２塗布領域５２と非塗布領域５３とが形成される。
【００３９】
身体側ライナ２６のクロッチ域９に非塗布領域５３が形成されるので、この非塗布領域５３では身体側ライナ２６の液透過性を阻害することがない。すなわち、尿などの体液は、身体側ライナ２６の非塗布領域５３を介して吸液性芯材２５に吸収される。
吸液性パネル２３から離間した離隔シート３の中間部分３２には第１塗布領域５１が形成され、この第１塗布領域５１が着用者の肌に当接するので、ローションを着用者の肌に確実に移行させることができる。おむつ１は、離隔シート３の前方連通部３３が着用者の外性器に位置し、後方連通部３４が肛門に位置するように着用状態を整えるようにして着用される。したがって、中間部分３２は外性器と肛門との間の肌に接触する。この部分は特に刺激に弱い部分であり、かぶれ等が発症しやすい。この刺激に弱い部分にローションを塗ることができ、便等が付着して肌トラブルを起こすのを防止することができる。
【００４０】
非塗布領域５３は、第１塗布領域５１の着衣側に形成されるので、着用時において空隙２９が形成されているときは当然に非塗布領域５３が着用者に接触することがない。したがって、ローションが塗布されないシートが肌に接触して肌トラブルを引き起こすことを防止することができる。また、着用者が座ったりして空隙２９がつぶされて、離隔シート３と吸液性パネル２３とが付着するような場合であっても、非塗布領域５３と着用者の肌との間には第１塗布領域５１が介在するから、非塗布領域５３が着用者の肌に直接接触することがない。
【００４１】
ローションはスプレーによって塗布するようにしているが、スロットコーター等他の方法によって塗布するようにしてもよい。いずれにしても、第１塗布領域５１と第２塗布領域５２とを同時に形成することによって、製造時間の短縮が可能となり、ローションの塗布による大幅なコスト増加を回避することができる。ローションは、エモリエント成分とエモリエント成分を固定する固定化成分とを含むこととしたので、肌を軟化させ肌トラブルを軽減することができる。
離隔シート弾性部材３９は、接着剤を介して離隔シート３に接合されるようにしているが、離隔シート３の中間部分３２にローションを塗布することによって接着剤が剥がれてしまう可能性がある。したがって、中間部分３２においては弾性部材３９を接合する接着剤の量を多くすることが好ましい。
【００４２】
離隔シート３および漏れバリアカフ４は液抵抗性かつ通気性の不織布等、内面シート１１および外面シート１２は通気性不織布等、漏れバリアシート１３は透湿性のプラスチックフィルム等、吸液性パネル２３はフラッフパルプと高吸収性ポリマー粒子との混合物等、それぞれ当技術分野の慣用素材を用いることができる。
＜第２の実施形態＞
【００４３】
図６は第２の実施形態を示したものであり、第１の実施形態の図３と同様の図である。この第２の実施形態において、第１の実施形態と同様の構成要素については、その説明を省略する。この第２の実施形態では、前後ウエスト域７，８に前後ウエストシート５４，５５を形成し、この前後ウエストシート５４，５５にローションを塗布して第３前方塗布領域５６と第３後方塗布領域５７とをさらに形成している。前後ウエストシート５４，５５は、ウエスト開口１８を形成するシャーシ２の前後端縁２ａ，２ｂにほぼ平行に横方向Ｘに延びている。前後ウエストシート５４，５５は、吸液構造体２３の前後端縁２３ａ，２３ｂにそれぞれ重なるように形成されているが、吸液性芯材２５には重ならないように、縦方向Ｙにずらして配置される。
【００４４】
前後ウエストシート５４，５５としては、一般的な撥水性の不織布や親水性の不織布のほかに、抗菌剤を含んだ不織布等を使用することができる。前後ウエストシート５４，５５には、その全体にローションが塗布されて第３前後塗布領域５６，５７が形成される。ローションの塗布量は約３〜１５ｇ／ｍ２であり、好ましくは約１０ｇ／ｍ２である。
【００４５】
前後ウエスト域７，８は、おむつ１の着用時には着用者の腹または背中に接触していることが多い。したがって、前後ウエスト域７，８に前後ウエストシート５４，５５を形成した場合には、この前後ウエストシート５４，５５は着用者の肌と接触することになる。この肌との接触部分に第３前後塗布領域５６，５７を形成することによって、おむつ１との摩擦による肌トラブルを軽減することができる。また、吸液性芯材２５と前後ウエストシート５４，５５とを重ならないように配置しているので、前後ウエストシート５４，５５に形成された第３前後塗布領域５６，５７によって吸液性芯材２５への体液の吸収を妨げることがない。
【００４６】
この実施形態においては、第１および第２塗布領域５１，５２に加えて、さらに第３前後塗布領域５６，５７を形成することとしたので、より一層着用者の肌トラブルを防止することができる。第３前後塗布領域５６，５７をシャーシ２とは別の前後ウエストシート５４，５５に形成するようにしているが、シャーシ２に直接形成するようにしてもよい。
【図面の簡単な説明】
【００４７】
【図１】第１の実施形態のおむつの斜視図。
【図２】図１のＩＩ−ＩＩ線断面図。
【図３】おむつの平面図。
【図４】おむつの説明図。
【図５】おむつの説明図。
【図６】第２実施形態を示した図３と同様の図。
【符号の説明】
【００４８】
１    おむつ
２    シャーシ
３    離隔シート
５    身体側内面
６    着衣側外面
７    前ウエスト域
８    後ウエスト域
９    クロッチ域
１０    吸液構造体
１８    ウエスト開口
１９    レッグ開口
２１    レッグ弾性部材
２３    吸液性パネル（吸液構造体）
２９    空隙
３０    両側部分
３１    両側部分
３２    中間部分
３３    前方連通部
３４    後方連通部
５１    第１塗布領域
５２    第２塗布領域
５３    非塗布領域
５４    前ウエストシート
５５    後ウエストシート
５６    第３前塗布領域（第３塗布領域）
５７    第３後塗布領域（第３塗布領域）
【図１】
2009232881.tif 000003
【図２】
2009232881.tif 000004
【図３】
2009232881.tif 000005
【図４】
2009232881.tif 000006
【図５】
2009232881.tif 000007
【図６】
2009232881.tif 000008